【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
眼部の複数のモーションコントラスト画像の合成画像であって、複数の検査日に関する複数の合成画像を取得する取得手段と、
前記複数の合成画像と、前記複数の合成画像から得られた前記複数の検査日に関する複数の情報との少なくとも１つを時系列で表示手段に表示させる表示制御手段と、
を備えることを特徴とする画像処理装置。
【請求項２】
前記複数のモーションコントラスト画像は、前記眼部の同一位置を測定光が走査されるように制御して得た複数の３次元のモーションコントラスト画像であって、
前記合成画像は、前記複数の３次元のモーションコントラスト画像の合成画像であることを特徴とする請求項１に記載の画像処理装置。
【請求項３】
前記眼部のモーションコントラスト画像の少なくとも一部の領域に対する解析を実行する解析手段を更に備え、
前記表示制御手段は、前記少なくとも一部の領域が解析された結果を示す画像が、前記解析に適した複数の条件のうちの少なくとも２つの条件が満足されない状態で得られた画像である場合には、前記少なくとも２つの条件に関する情報を、前記複数の条件の優先順位に応じて前記表示手段に表示させることを特徴とする請求項１または２に記載の画像処理装置。
【請求項４】
前記表示制御手段は、前記少なくとも２つの条件に関する情報として、前記少なくとも２つの条件のうちの優先度の高い条件に関する警告メッセージを、操作者からの指示に応じて選択された解析の種類を示す情報を用いて解析された結果を示す画像と並べて前記表示手段に表示させることを特徴とする請求項３に記載の画像処理装置。
【請求項５】
前記複数の条件には、前記少なくとも一部の領域に対して解析が実行される前記モーションコントラスト画像が前記合成画像であるという条件が、他の条件よりも優先度の高い条件として含まれることを特徴とする請求項３又は４に記載の画像処理装置。
【請求項６】
前記情報は、血管領域、無血管領域および血管中心線の位置のいずれかに基づいて算出された計測値に関する情報と、血管密度の情報とのうち少なくとも１つの情報であることを特徴とする請求項１乃至５のいずれか１項に記載の画像処理装置。
【請求項７】
前記表示制御手段は、第１の深度範囲で投影した前記合成画像から得られた前記複数の検査日に関する複数の情報と、前記第１の深度範囲とは異なる第２の深度範囲で投影した前記合成画像から得られた前記複数の検査日に関する複数の情報とを並置して時系列で表示手段に表示させることを特徴とする請求項１乃至６のいずれか１項に記載の画像処理装置。
【請求項８】
前記表示制御手段は、前記合成画像から異なる計測手法で得られた前記複数の検査日に関する複数の情報を並置して表示手段に表示させることを特徴とする請求項１乃至７のいずれか１項に記載の画像処理装置。
【請求項９】
前記表示制御手段は、合成されていないモーションコントラスト画像または前記合成されていないモーションコントラスト画像から得られた情報は時系列で表示させないことを特徴とする請求項１乃至８のいずれか１項に記載の画像処理装置。
【請求項１０】
操作者からの指示に応じて選択された解析の種類を示す情報を用いて、前記眼部のモーションコントラスト画像における第１の領域に対する解析を実行する解析手段を更に備え、
前記表示制御手段は、操作者からの指示に応じて前記モーションコントラスト画像における前記第１の領域よりも狭い領域を少なくとも含む第２の領域に対して解析された結果を示す画像の表示が選択された場合には、前記選択された解析の種類を示す情報を用いて前記第２の領域に対して解析された結果を示す画像を、前記第１の領域に対して解析された結果を示す画像に重畳された状態で表示手段に表示させることを特徴とする請求項１乃至９のいずれか１項に記載の画像処理装置。
【請求項１１】
前記眼部のモーションコントラスト画像における第１の領域と前記第１の領域よりも狭い領域を少なくとも含む第２の領域とのうち少なくとも１つに対する解析を実行する解析手段を更に備え、
前記表示制御手段は、操作者からの指示に応じて前記第１の領域と前記第２の領域とのいずれか一方に対して選択された解析の種類を示す情報を用いて前記一方が解析された結果を示す画像を表示手段に表示させ、前記一方に対する選択の後に操作者からの指示に応じて他方に対して選択された解析の種類と、前記一方に対して選択された解析の種類とが異なる場合には、前記一方が解析された結果を示す画像の表示領域において、前記一方が解析された結果を示す画像の表示を、前記他方に対して選択された解析の種類を示す情報を用いて前記一方及び前記他方が解析された結果を示す画像の表示に変更する制御を実行することを特徴とする請求項１乃至９のいずれか１項に記載の画像処理装置。
【請求項１２】
前記表示制御手段は、前記一方に対する選択の後に操作者からの指示に応じて他方に対して選択された解析の種類と、前記一方に対して選択された解析の種類とが異なる場合には、前記一方に対して選択された解析の種類を示す情報の表示を、前記他方に対して選択された解析の種類を示す情報の表示に変更する別の制御を実行することを特徴とする請求項１１に記載の画像処理装置。
【請求項１３】
前記表示制御手段は、前記複数の合成画像が時系列に並べて表示される表示領域において、前記複数の合成画像のうちの１つの画像に対して実行される前記制御を、他の画像に対しても実行することを特徴とする請求項１１または１２に記載の画像処理装置。
【請求項１４】
前記解析手段は、操作者からの指示に応じて、前記複数の合成画像のうちの１つの画像における前記第１の領域と前記第２の領域との少なくとも１つに対して選択される解析の種類を示す情報を、他の画像に対しても適用することを特徴とする請求項１１乃至１３のいずれか１項に記載の画像処理装置。
【請求項１５】
前記第１の領域と前記第２の領域とのいずれか一方に対して選択された解析の種類が操作者からの指示に応じて非選択に変更された場合には、他方に対して選択された解析の種類は変更されないように構成されることを特徴とする請求項１１乃至１４のいずれか１項に記載の画像処理装置。
【請求項１６】
前記表示制御手段は、前記第１の領域及び前記第２の領域に対する解析の種類が非選択の場合には、解析された結果を示す画像が前記表示領域において非表示の状態で、前記モーションコントラスト画像を前記表示領域に表示させることを特徴とする請求項１１乃至１５のいずれか１項に記載の画像処理装置。
【請求項１７】
前記選択された解析の種類は、前記モーションコントラスト画像において特定される血管領域の面積に関する血管密度と、前記血管領域の長さに関する血管密度とを少なくとも含む複数の種類のいずれかであることを特徴とする請求項１１乃至１６のいずれか１項に記載の画像処理装置。
【請求項１８】
前記モーションコントラスト画像は、前記眼部の３次元のモーションコントラスト画像と、操作者からの指示に応じて設定された深さ範囲に関する情報とを用いて生成された、前記眼部のモーションコントラスト正面画像であり、
前記解析された結果を示す画像は、前記モーションコントラスト正面画像の少なくとも一部の領域に対して解析された結果を示す２次元画像であり、
前記第２の領域は、セクタ領域で、
前記第１の領域は、前記セクタ領域よりも広い領域であり、
前記選択された解析の種類は、前記モーションコントラスト画像において特定される血管領域または無血管領域に関するパラメータを少なくとも含む複数の種類のいずれかであることを特徴とする請求項１１乃至１７のいずれか１項に記載の画像処理装置。
【請求項１９】
眼部の複数のモーションコントラスト画像の合成画像であって、複数の検査日に関する複数の合成画像を取得する取得工程と、
前記複数の合成画像と、前記複数の合成画像から得られた前記複数の検査日に関する複数の情報との少なくとも１つを時系列で表示手段に表示させる表示制御工程と、
を含むことを特徴とする画像処理方法。
【請求項２０】
請求項１９に記載の画像処理方法の各工程をコンピュータに実行させることを特徴とするプログラム。
【手続補正２】
【補正対象書類名】明細書
【補正対象項目名】０００９
【補正方法】変更
【補正の内容】
【０００９】
本発明の目的を達成するために、例えば本明細書に開示の画像処理装置は、
眼部の複数のモーションコントラスト画像の合成画像であって、複数の検査日に関する複数の合成画像を取得する取得手段と、
前記複数の合成画像と、前記複数の合成画像から得られた前記複数の検査日に関する複数の情報との少なくとも１つを時系列で表示手段に表示させる表示制御手段と、を備える。